(57)【要約】セルラ移動通信システムで使用するのに適した、送信信号を受信するための装置および方法が開示される。本装置は、送信信号を表現するところの信号を複数のアンテナ素子から受信し、およびビーム整形器（５０）への制御情報入力によって規定される受信機ビームパターンに従って受信信号を修正するビーム整形器（５０）を有する。また、本装置は、受信信号内の所定のデータとその所定のデータの複製とを組み合わせることによって、所望の制御情報の推定値を生成する推定手段（５４）を有する。所望の制御情報の推定値は、ビーム整形器（５０）への制御情報入力を設定するために使用される。
2004505539.tif 000002
【特許請求の範囲】
【請求項１】
送信信号を受信する装置であって：
複数のアンテナ素子から各自の信号を受信するビーム整形器であって、受信信号は前記送信信号を表現しおよび所定のデータを包含し、前記ビーム整形器への制御情報入力によって規定される受信機ビームパターンに従って前記受信信号を修正するビーム整形器；
反復的に制御情報を作成して前記受信機ビームパターンを調整するために反復的な適応アルゴリズムを実行し、前記送信信号の受信を支援する処理手段；
前記受信信号と前記所定のデータの複製を組み合わせることによって所望の制御情報の推定値を生成し、前記所定のデータに起因するデータ変調の影響を前記受信信号から実質的に除去する推定手段；および
前記処理手段によって生成される反復的な制御情報、または前記推定手段によって生成される所望の制御情報の推定値の何れかを前記ビーム整形器への前記制御情報入力として選択する選択手段；
より成ることを特徴とする送信信号を受信する装置。
【請求項２】
前記推定手段が、前記所望の制御情報の推定値を作成するよう形成され、前記選択手段が、前記送信信号が最初に受信された場合に、前記所望の制御情報の前記推定値を選択するよう形成されることを特徴とする請求項１記載の装置。
【請求項３】
前記推定手段が、前記所望の制御情報の推定値を生成するよう形成され、前記選択手段が、新規な伝送経路が前記受信する装置に割り当てられた場合に、前記所望の制御情報の前記推定値を選択するよう形成されることを特徴とする請求項１又は２記載の装置。
【請求項４】
前記推定手段が、前記所望の制御情報の推定値を生成するよう形成され、前記選択手段が、前記受信信号の品質が低下したことを示す信号に応答して、前記所望の制御情報の前記推定値を選択するよう形成されることを特徴とする請求項１ないし３の何れか１項に記載の装置。
【請求項５】
前記推定手段が、前記所望の制御情報の推定値を生成するよう形成され、前記選択手段が、前記所望の制御情報の前記推定値を定期的に選択するよう形成されることを特徴とする請求項１ないし４の何れか１項に記載の装置。
【請求項６】
前記所定のデータが１つ又はそれ以上のパイロット・シンボルであることを特徴とする請求項１ないし５の何れか１項に記載の装置。
【請求項７】
前記推定手段が、前記受信信号と前記所定のデータの前記複製との相関をとるよう形成されることを特徴とする請求項１ないし６の何れか１項に記載の装置。
【請求項８】
前記推定手段が、前記所定のデータの複製の複素共役に前記受信信号を乗算するよう形成される、又は前記受信信号の複素共役に前記所定のデータの前記複製を乗算するよう形成されることを特徴とする請求項１ないし７の何れか１項に記載の装置。
【請求項９】
更に、前記所定のデータの前記複製の少なくとも１つ、および前記所定のデータの前記複製の複素共役を格納する格納手段を有することを特徴とする請求項１ないし８の何れか１項に記載の装置。
【請求項１０】
前記受信信号は、各々が所定のデータ・シンボルを包含する複数の受信シンボルより成り、前記推定手段が、複数の受信シンボルの各々とそこに包含される前記所定のデータシンボルの複製とを組み合わせるよう形成され、および該組合せの結果の和を計算して前記所望の制御情報の前記推定値を生成するよう形成されることを特徴とする請求項１ないし９の何れか１項に記載の装置。
【請求項１１】
前記所望の制御情報の推定値を生成するために、前記推定手段によってＮ個のシンボルが利用され、当該装置が更に前記Ｎの値を調整する手段を有することを特徴とする請求項１ないし１０の何れか１項に記載の装置。
【請求項１２】
前記受信信号は、各々が所定のデータシンボルを包含する複数の受信シンボルより成り、当該装置は、一連のサイクルを実行し、各サイクルにおいて前記推定手段が受信シンボルとそこに包含される前記所定のデータシンボルの複製とを
ｙ組み合わせるよう動作することが可能であり、および
少なくとも２つのサイクルにおいて、前記推定手段が、サイクル中に実行される組合せの結果と、存在するならば少なくとも１つ先行するサイクル中に実行される組合せの結果との累積的な和に依存して、前記制御情報の推定値を生成し、前記選択手段が、ビーム整形器への制御情報入力としてその推定値を選択することを特徴とする請求項１ないし１１の何れか１項に記載の装置。
【請求項１３】
送信信号を受信する装置であって：
複数のアンテナ素子から各自の信号を受信するビーム整形器であって、受信信号は、前記送信信号を表現し及び各々が所定のデータシンボルを包含する複数の受信シンボルより成り、前記ビーム整形器への制御情報入力により規定されるビームパターンに従って前記受信信号を修正するビーム整形器；および
前記制御情報の推定値を生成する推定手段；
より成り、当該装置が、一連のサイクルを実行し、各サイクルにおいて前記推定手段が受信シンボルとそこに包含される前記所定のデータシンボルの複製とを組み合わせるよう動作することが可能であり、前記所定のデータシンボルに起因するデータ変調の影響を前記受信シンボルから実質的に除去し、および
少なくとも２つのサイクルにおいて、前記推定手段が、サイクル中に実行される組合せの結果と、存在するならば少なくとも１つ先行するサイクル中に実行される組合せの結果との累積的な和に依存して、前記制御情報の推定値を生成し、前記ビーム整形器への制御情報入力としてその推定値を適用することを特徴とする送信信号を受信する装置。
【請求項１４】
当該装置が２つの位相で動作するよう形成され：
第１の位相において、当該装置が第１のＮサイクルで実行するよう動作し、各サイクルにおいて、前記推定手段が、受信シンボルをそこに含まれる所定のデータシンボルの複製と組み合せ、サイクル中に実行される組合せの結果と、存在するならば少なくとも１つ先行するサイクル中に実行される組合せの結果との累積的な和を計算し、前記ビーム整形器への前記制御情報の推定値を生成し、および
第２の位相において、当該装置が第２のサイクルで実行するよう動作し、各サイクルにおいて、前記推定手段が、受信シンボルをそこに含まれる所定のデータシンボルの複製と組み合わせ、サイクル中に実行される組合せの結果と、先行するＮサイクル中に実行される組合せの結果との累積的な和を計算し、前記ビーム整形器への前記制御情報入力
を生成することを特徴とする請求項１３記載の装置。
【請求項１５】
更に、前記Ｎの値を調整する手段を有することを特徴とする請求項１４記載の装置。
【請求項１６】
送信信号を受信する装置であって：
複数のアンテナ素子から各自の信号を受信するビーム整形器であって、受信信号は、前記送信信号を表現し及び各々が所定のデータシンボルを包含する複数の受信シンボルより成り、前記ビーム整形器への制御情報入力により規定されるビームパターンに従って前記受信信号を修正するビーム整形器；
Ｎ個の受信シンボルの各々とそこに含まれる前記所定のデータシンボルの複製とを組み合わせる推定手段であって、前記所定のデータシンボルに起因するデータ変調の影響を前記受信シンボルから実質的に除去し、および該組み合わせの結果の和を計算して前記制御情報を生成する推定手段；および
前記Ｎの値を調整する手段；
より成ることを特徴とする送信信号を受信する装置。
【請求項１７】
前記Ｎの値を調整する手段が、前記送信信号を表現する受信信号の信号品質の推定値に依存して、前記Ｎの値を調整するよう動作することを特徴とする請求項１１，１５又は１６に記載の装置。
【請求項１８】
前記Ｎの値を調整する手段が、信号対干渉比の測定値に依存して、前記Ｎの値を調整するよう動作することを特徴とする請求項１７記載の装置。
【請求項１９】
前記推定手段が、受信シンボルとそこに包含される前記所定のシンボルの複製との相関をとるよう形成されることを特徴とする請求項１３ないし１８の何れか１項に記載の装置。
【請求項２０】
前記推定手段が、所与の重み因子を利用して、前記組み合わせの結果に関する重み付けされた和を計算するよう形成されることを特徴とする請求項１０ないし１９の何れか１項に記載の装置。
【請求項２１】
更に、前記重み因子を調整する手段を有することを特徴とする請求項２０記載の装置。
【請求項２２】
前記重み因子を調整する手段が、前記送信信号を表現する受信信号の品質の推定値に依存して、前記重み因子を調整するよう動作することを特徴とする請求項２１記載の装置。
【請求項２３】
更に、前記受信信号の品質を推定する手段を有することを特徴とする請求項１ないし２２の何れか１項に記載の装置。
【請求項２４】
前記ビーム整形器が、前記アンテナ素子から受信した信号に、前記制御情報に依存する各自の重みを乗算する手段、および該乗算した信号を組み合わせる手段を有することを特徴とする請求項１ないし２３の何れか１項に記載の装置。
【請求項２５】
前記推定手段が、前記アンテナ素子の各々から受信した信号に、前記所定のデータの複製を組み合わせ、所望の制御情報の推定値を生成することを特徴とする請求項１ないし２４の何れか１項に記載の装置。
【請求項２６】
請求項１ないし２５の何れか１項に記載の受信装置を有するセルラ移動通信システムにおいて使用する基地局。
【請求項２７】
送信信号を受信する方法であって：
前記送信信号を表現し及び所定のデータを包含する各自の信号を、複数のアンテナ素子から受信するステップ；
制御情報により規定される受信機ビームパターンに従って、前記受信信号を修正するステップ；
前記受信機ビームパターンを調整するための反復的な制御情報を生成するために反復的に適応アルゴリズム実行し、前記送信信号の受信を支援するステップ；
受信信号と前記所定のデータの複製を組み合わせることによって所望の制御情報の推定値を生成し、前記所定のデータに起因するデータ変調の影響を前記受信信号から実質的に除去するステップ；および
前記反復的な制御情報又は前記所望の制御情報の前記推定値の何れかを、前記修正するステップで使用するための前記制御情報として選択するステップ；
より成ることを特徴とする送信信号を受信する方法。
【請求項２８】
送信信号を受信する方法であって、当該方法は一連のサイクルを有し、各サイクルが：
複数のアンテナ素子から各自の信号を受信するステップであって、前記信号が前記送信信号を表現し及び所定のデータシンボルを包含する受信シンボルより成るところのステップ；
制御情報により規定される受信機ビームパターンに従って、前記受信信号を修正するステップ；および
前記受信シンボルとそこに含まれる前記所定のデータシンボルの複製とを組み合わせ、前記所定のデータシンボルに起因するデータ変調の影響を前記受信シンボルから実質的に除去するステップ；
より成り、少なくとも２つのサイクルにおいて、前記制御情報の推定値が、サイクル中に実行される組合せの結果と、存在するならば少なくとも１つ先行するサイクル中に実行される組合せの結果との累積的な和に依存して、前記制御情報の推定値が生成され、該推定値が制御情報として使用されることを特徴とする送信信号を受信する方法。
【請求項２９】
送信信号を受信する方法であって：
複数のアンテナ素子から各自の信号を受信するステップであって、前記信号が前記送信信号を表現し及び各々が所定のデータシンボルを包含する複数の受信シンボルより成るところのステップ；
制御情報により規定される受信機ビームパターンに従って、前記受信信号を修正するステップ；および
Ｎ個の受信シンボルの各々とそこに含まれる前記所定のデータシンボルの複製とを組み合わせ、前記所定のデータシンボルに起因するデータ変調の影響を前記受信シンボルから実質的に除去するステップ；
前記組み合わせの結果の和を計算し、前記制御情報を生成するステップ；および
前記Ｎの値を調整するステップ；
より成ることを特徴とする送信信号を受信する方法。
【請求項３０】
図面に関連して実質的に記載され及び示された装置及び方法。
【請求項３１】
図面に関連して実質的に記載され及び示された基地局。
【発明の詳細な説明】
【０００１】
本発明は、送信信号を受信するための装置および方法に関する。本発明は、セルラ移動通信システムのようなマルチ・ユーザ環境における具体的用途を有する。特に、本発明は、受信されるビームパターンが調整されるところのセルラ移動通信システムの基地局で使用するための受信装置、およびセルラ移動通信システムの基地局において受信されるビームパターンを調整する方法を提供することが可能である。
【０００２】
セルラ移動通信システムにおいて、基地局における主要な作業の１つは、マルチ・ユーザおよびマルチパス環境下で所望のユーザの各々（すなわち、アクティブな移動局の各々）の信号を検出することである。低ビット・エラー・レートで申し分のない信号検出を行うためには、２つの条件が充足されなければならない。第１に、基地局により受信された移動局からの信号の電力レベルは、所定の閾値より大きくなければならない。第２に、しばしばマルチ・アクセス干渉（ＭＡＩ）とも言及されるマルチ・ユーザ干渉（ＭＵＩ）が、許容可能なレベルに低減されなければならない。
【０００３】
受信信号電力レベルを増進させ、干渉を低減させるために、基地局で適応アンテナを利用して、受信信号を空間的にフィルタ処理することが知られている。適応アンテナは、複数の空間的に分離されたアンテナ要素と、受信されるビームパターンを調整するビーム整形器を有する。アンテナ要素により受信される信号は、ビーム整形器により処理され、これは各アンテナ要素により受信された信号に、ウエイト値として言及される複素数を乗算し、調整された信号を合成する。ウエイト値を適切に選択することによって、アンテナのビームパターンが形成され、ビーム整形器の出力において、所望の特定の方向から受信される信号の電力レベルが向上する一方、他の方向から受信する信号は減少するようにする。こうして、所望の信号の電力レベルを増加させるようアンテナ利得を使用する一方、他の方向から受信する信号を抑制することによって、マルチユーザ干渉が減少させられる。
【０００４】
先ず、移動局からの送信信号の受信が始まる場合に、信号の受信方向は未知であり、その受信方向は移動局が移動するにつれて時間と共に変化し得る。従って、適応アンテナは適応アルゴリズムを利用して、特定の移動局の送信信号に収束させる又は追従させる。例えば、最小二乗平均（ＬＭＳ）アルゴリズムが使用され、これは、誤差信号に応答して、ビーム整形器の重みを反復的に調整するものである。
【０００５】
“Ｐｉｌｏｔ　Ｓｙｍｂｏｌ−Ａｓｓｉｓｔｅｄ　Ｄｅｃｉｓｉｏｎ−Ｄｉｒｅｃｔｅｄ　Ｃｏｈｅｒｅｎｔ　Ａｄａｐｔｉｖｅ　Ａｒｒａｙ　Ｄｉｖｅｒｓｉｔｙ　ｆｏｒ　ＤＳ−ＣＤＭＡ　Ｍｏｂｉｌｅ　Ｒａｄｉｏ　Ｒｅｖｅｒｓｅ　Ｌｉｎｋ”と題するＴａｎａｋａ　ｅｔ　ａｌによる論文　ＩＥＩＣＥ　Ｔｒａｎｓ．　Ｆｕｎｄａｍｅｎｔａｌｓ，　ｖｏｌ．　Ｅ８０−Ａ，　ｎｏ．１２，　Ｄｅｃｅｍｂｅｒ　１９９７．は、本発明の参考に供され、ビーム整形器の重みがＬＭＳアルゴリズムの変形である最小二乗誤差（ＭＭＳＥ）アルゴリズムによって調整されるところのビーム整形器を有する適応アンテナを開示している。この論文では、送信信号が最初に受領され始めると、ビーム整形器の初期重みが１に設定されることが提示されている。
【０００６】
Ｔａｎａｋａ等の論文に記載されているような適応アルゴリズムに関する問題点は、収束するまでに長時間を要し、送信信号の時間的に申し分のない受信が達成されないことである。この問題が特に深刻であるのは、初期ビーム整形器重みが最適なビーム整形器重みから遠く逸脱している場合である。なぜなら、ビーム整形器が収束するまでに多数の反復が実行される必要があるからである。例えば、Ｔａｎａｋａ等の論文に記載されているシステムでは、収束時間は典型的に３０フレーム（０．３ｓ）近辺であり、受信開始時に、約３０データ・フレームが理想的状態よりも悪い状態で受信され、更にこれは破棄されることとなる。
【０００７】
セルラ移動通信システムにおける関連する問題は、通信チャネルの電力制御が、ビーム整形器の出力における信号品質の測定値に基づいて実行されることである。アルゴリズムが収束しなければ、信号品質は、そのアルゴリズムが収束したならば得られるであろうものより低い。したがって、低い信号品質を補償するために、より高い送信電力が利用され、送信装置の非効率的な利用となってしまう。更に、より高い送信電力を利用すると、他のチャネルへの干渉を増加させ、送信システムの全体的な効率を下げてしまう。
【０００８】
セルラ移動通信システムにおける更なる問題は、送信信号の受信方向が急速に変動し、すなわち新たな経路が生じ得ることであり、これは例えばユーザが大きな建物の背後に又はそこから遠ざかる場合に生じ得る。既存の適応アルゴリズムは、受信信号の方向変化に応答するのに長時間を要してしまう。
【０００９】
Ｆｕｊｉｔｓｕ　Ｌｉｍｉｔｅｄ（登録商標）名義の共に継続している英国特許出願番号９８２６２７１．０では、本願の参考に供せられ、ビーム整形器の初期重みを設定する技術を開示する。この技術は、主要なビーム整形器に加えて、各々が異なる方向から受信した信号を空間的にフィルタ処理するところの補助ビーム整形器を提供することを包含する。補助ビーム整形器のどれが又は補助ビーム整形器のどのグループが最良の受領を提供するかを評価することによって、送信信号の到来方向の良好な推定が得られる。この推定を利用して、主要ビーム整形器の初期重みを設定し、その後に適応アルゴリズムが信号を追跡するために使用される。送信信号の到来方向の推定値を提供することによって、および初期ビーム整形器重みを設定するためにこの推定値を利用して、適応アルゴリズムは送信信号に速やかに収束することが可能になる。
【００１０】
上述した技術は、主要ビーム整形器の初期重みを比較的短期間の内に設定することを可能にするが、多数の補助ビーム整形器を設けることを要し、システムを複雑化させてしまう。
【００１１】
したがって、上述した制約を有することなしに、送信信号に速やかに収束することが可能なビーム整形器を提供すること、すなわち送信信号の方向変化に迅速に応答することが望まれている。
【００１２】
本発明の第１形態によれば、送信信号を受信する装置であって：
複数のアンテナ素子から各自の信号を受信するビーム整形器であって、受信信号は前記送信信号を表現しおよび所定のデータを包含し、前記ビーム整形器への制御情報入力によって規定される受信機ビームパターンに従って前記受信信号を修正するビーム整形器；
反復的に制御情報を作成して前記受信機ビームパターンを調整するために反復的な適応アルゴリズムを実行し、前記送信信号の受信を支援する処理手段；
前記受信信号と前記所定のデータの複製を組み合わせることによって所望の制御情報の推定値を生成し、前記所定のデータに起因するデータ変調の影響を前記受信信号から実質的に除去する推定手段；および
前記処理手段によって生成される反復的な制御情報、または前記推定手段によって生成される所望の制御情報の推定値の何れかを前記ビーム整形器へ前記制御情報入力として選択する選択手段；
より成ることを特徴とする送信信号を受信する装置が、提供される。
【００１３】
本発明は、２つの重要な特徴を有する。第１に、最適な制御情報の良好な推定値（ビーム整形器の重み）が、各アンテナ素子により受信された信号間の相対的な位相遅延から取得され得る。第２に、相対的な位相遅延は、各アンテナ素子により受信された信号と所定のデータシーケンスの複製を組み合わせることによって推定することが可能である。そして、受信信号と所定のデータの複製を組み合わせることによって、最適な制御情報の良好な推定値を取得することが可能になる。
【００１４】
本発明は、各アンテナ素子により受信された信号と所定のデータシーケンスの複製とを組み合わせることによって動作し、所定のデータに起因するデータ変調の影響を受信信号から実質的に除去する。データ変調の影響が除去されると、残りの信号の主成分は、アンテナ素子の間隔による相対的な位相遅延によるものである。これら残りの信号は、その後に最適なビーム整形器の重みの推定値として使用される。
【００１５】
本発明は、最適な制御情報の良好な推定値が、短期間の間に比較的少ない処理労力で生成され得るという利点を提供する。この推定値はその後に制御情報を設定するために使用され、収束させるために反復的な適応アルゴリズムだけが使用された場合よりも速やかにビーム整形器を収束させ得る。所定のデータは送信信号においてしばしば利用可能であるので、本発明は、既存の受信装置にほとんど変更を必要とせず、低コストで実現することが可能である。
【００１６】
本発明は、有利なことに、反復的な適応アルゴリズムが充分に収束させていない疑義が生じたときはいつでも使用することが可能である。そして、実施形態に依存して、推定手段は所望の制御情報の推定値を生成するよう形成され、選択手段は、（ｉ）送信信号が最初に受信された場合に、（ｉｉ）受信装置に新たな送信経路が割り当てられた場合に、（ｉｉｉ）受信信号品質の減少したことを示す信号に応答して、または（ｉｖ）周期的に、所望の制御情報の推定値を選択するよう形成することが可能であり、または上記の組合せを実行するよう形成されることも可能である。
所定のデータは１つ又はそれ以上のパイロット・シンボルとすることが可能であり、又はトレーニング・データ、ダミーデータ、署名（ｓｉｇｎａｔｕｒｅ）シーケンスその他の所定のデータとすることが可能であり、受信装置が、送信された所定のデータの複製を可能であるようにする。
【００１７】
好ましくは、推定手段は受信信号と所定のデータの複製との相関をとるよう形成され、所定のデータに起因するデータ変調の影響を受信信号から実質的に除去する。また、この特徴は、独立して与えられ、本発明の第１形態の修正において、送信信号を受信する装置であって：
複数のアンテナ素子から各自の信号を受信するビーム整形器であって、受信信号は前記送信信号を表現しおよび所定のデータを包含し、前記ビーム整形器への制御情報入力によって規定される受信機ビームパターンに従って前記受信信号を修正するビーム整形器；
反復的に制御情報を作成して前記受信機ビームパターンを調整するために反復的な適応アルゴリズムを実行し、前記送信信号の受信を支援する処理手段；
受信信号と所定のデータの複製との相関をとることによって、所望の制御情報の推定値を生成する推定手段；および
前記処理手段によって生成される反復的な制御情報、または前記推定手段によって生成される所望の制御情報の推定値の何れかを前記ビーム整形器への前記制御情報入力として選択する選択手段；
より成ることを特徴とする送信信号を受信する装置が、提供される。
【００１８】
例えば、前記推定手段は、前記所定のデータの複製の複素共役に前記受信信号を乗算するよう形成される、又は前記受信信号の複素共役に前記所定のデータの前記複製を乗算するよう形成される。これは、相関を実行する簡便な手法を提供するが、これに代えて、所定のデータに起因するデータ変調の影響が受信信号から実質的に除去される結果となる任意の他の演算を利用することも可能である。
【００１９】
本装置は、更に、前記所定のデータの前記複製の少なくとも１つ、および前記所定のデータの前記複製の複素共役を格納する格納手段を有する。所定のデータの複製の複素共役が格納されるならば、相関プロセスにおいて直接的に使用され得る；そうでなければ、所定のデータの複製の複素共役又は受信信号の複素共役を生成する手段が設けられる。
【００２０】
推定手段は、単独の受信シンボルとそこに含まれる所定のデータ・シンボルの複製とを組み合わせ、所望の制御情報の推定値を生成するよう形成され得る。あるいは、前記受信信号が、各々が所定のデータ・シンボルを包含する複数の受信シンボルより成り、前記推定手段が、複数の受信シンボルの各々とそこに包含される前記所定のデータシンボルの複製とを組み合わせるよう形成され、および該組合せの結果の和を計算して前記所望の制御情報の前記推定値を生成することも可能である。このように、良好な推定値を与える所望の制御情報の推定値を与えるために、多数のシンボルが利用される。推定手段は、例えば最近受信したシンボルに、より大きな重みを与えることによって、又は総てのシンボルに等しい重みを与えることによって重み付けされた加算を実行する。
【００２１】
所望の制御情報の推定値を生成するために使用されるシンボル数の選択は、良好な推定値のための要請と迅速な収束のための要請とのトレードオフになる。所望の制御情報の推定値を生成するために使用されるシンボル数Ｎは、例えば２ないし２０の間の値に、典型的には５ないし１０の間で予め設定することが可能である。しかしながら、推定値を生成するために使用するシンボル数Ｎを変化させることも可能であり、従って、本装置はＮの値を調整する手段を更に有し得る。例として、チャネル品質が貧弱であるならば、チャネル品質が良好であった場合よりも多数のシンボル数が推定に必要とされる。Ｎの値を調整する手段は、送信信号の推定値に依存して、Ｎの値を調整するよう動作することが可能である。あるいは、Ｎの値は、受信信号強度、送信された所定のシンボル数のような他の要因に依存して調整されることも可能である。
【００２２】
所定のシンボル数Ｎが、所望の制御情報の推定値を生成するために使用される場合には、総てのＮ個の組み合わせを実行し、Ｎ個の組み合わせの総ての和を計算し、推定値を生成することによって実現することが可能である。あるいは、推定値は、Ｎ個総てのシンボルが受信される前に、受信されたシンボルの組み合わせの和を計算し、その部分的な和に基づいて制御情報を設定することによって、様々なインターバル（ｉｎｔｅｒｖａｌ）で生成され得る。
【００２３】
したがって、受信信号は、各々が所定のデータシンボルを包含する複数の受信シンボルより成り、当該装置は、一連のサイクルを実行し、各サイクルにおいて前記推定手段が受信シンボルをそこに包含される前記所定のデータシンボルの複製と組み合わせるよう動作することが可能であり、および
少なくとも２つのサイクルにおいて、前記推定手段が、サイクル中に実行される組合せの結果と、存在するならば少なくとも１つ又はそれ以上の先行するサイクル中に実行される組合せの結果との累積的な和に依存して、前記制御情報の推定値を生成し、前記選択手段が、ビーム整形器への制御情報入力としてその推定値を選択することが可能である。
【００２４】
受信される総てのＮシンボルを待機することなしに、様々なインターバルで制御情報を更新することによって、ビーム整形器は、例えば第１シンボルから少なくとも部分的に収束し、以後更なる連続的なシンボルと共に収束する。このことは、信号品質の推定値が電力制御に使用される場合に特に有利である。なぜなら、信号品質の推定値がより速やかにより正確に得られ、より迅速且つ効率的な電力制御になるためである。
【００２５】
系列における全サイクル数は２つ又はそれ以上である。制御情報の推定値が生成される２つのサイクルは、系列内の任意の時点で生じ得る。各シンボルが受信された後に、又は所定数のシンボルが受信された後に、制御情報が更新されるよう理解すべきである。
【００２６】
累積的な和は、例えば最近受信したシンボルには大きな重みを与えて重み付けすることが可能であり、または総てのシンボルに等しい重みを与えることも可能である。
【００２７】
制御情報が上述した手法でサイクル系列内で設定されるならば、処理手段は必要とされず、推定手段が制御情報を生成する全責任を担うことが可能である。従って、本発明の第２形態によれば、送信信号を受信する装置であって：
複数のアンテナ素子から各自の信号を受信するビーム整形器であって、受信信号は、前記送信信号を表現し及び各々が所定のデータシンボルを包含する複数の受信シンボルより成り、前記ビーム整形器への制御情報入力により規定されるビームパターンに従って前記受信信号を修正するビーム整形器；および
前記制御情報の推定値を生成する推定手段；
より成り、当該装置が、一連のサイクルを実行し、各サイクルにおいて前記推定手段が受信シンボルをそこに包含される前記所定のデータシンボルの複製と組み合わせるよう動作することが可能であり、前記所定のデータシンボルに起因するデータ変調の影響を前記受信シンボルから実質的に除去し、および
少なくとも２つのサイクルにおいて、前記推定手段が、サイクル中に実行される組合せの結果と、存在するならば少なくとも１つ先行するサイクル中に実行される組合せの結果との累積的な和に依存して、前記制御情報の推定値を生成し、前記ビーム整形器への制御情報入力としてその推定値を適用することを特徴とする送信信号を受信する装置が、提供される。
【００２８】
したがって、各サイクルにおいて制御情報を生成するために使用されるシンボル数は、より多くのシンボルが利用可能になるにつれて増加することが、理解されるであろう。典型的には、使用されるシンボル数は、１から最大値Ｎまで増加し、制御情報は最新のＮシンボルを利用して生成され続ける。本装置は、２つの位相で動作するよう形成され：
第１の位相において、当該装置が第１のＮサイクルで実行するよう動作し、各サイクルにおいて、前記推定手段が、受信シンボルをそこに含まれる所定のデータシンボルの複製と組み合せ、サイクル中に実行される組合せの結果と、存在するならば少なくとも１つ又はそれ以上先行するサイクル中に実行される組合せの結果との累積的な和を計算し、前記ビーム整形器への前記制御情報の推定値を生成し、および
第２の位相において、当該装置が第２のサイクルで実行するよう動作し、各サイクルにおいて、前記推定手段が、受信シンボルをそこに含まれる所定のデータシンボルの複製と組み合わせ、サイクル中に実行される組合せの結果と、先行するＮサイクル中に実行される組合せの結果との累積的な和を計算し、前記ビーム整形器への前記制御情報の推定値を生成する。
【００２９】
このように、送信状態が異なっていた場合に受信された古いシンボルは、制御情報を生成するためには使用されない。
【００３０】
上述したように、数Ｎの選択は、良好な推定値に対する要請と、速やかな収束の要請との間のトレードオフであり、例えば本発明の第１形態を参照しながら上述した任意の手法により、本装置は更にＮの値を調整する手段を有する。
【００３１】
Ｎの値を調整する能力は、独立して提供される本発明の重要な他の特徴であり、本発明の第３形態によれば、送信信号を受信する装置であって：
複数のアンテナ素子から各自の信号を受信するビーム整形器であって、受信信号は、前記送信信号を表現し及び各々が所定のデータシンボルを包含する複数の受信シンボルより成り、前記ビーム整形器への制御情報入力により規定されるビームパターンに従って前記受信信号を修正するビーム整形器；
Ｎ個の受信シンボルの各々とそこに含まれる前記所定のデータシンボルの複製とを組み合わせる推定手段であって、前記所定のデータシンボルに起因するデータ変調の影響を前記受信シンボルから実質的に除去し、および該組み合わせの結果の和を計算して前記制御情報を生成する推定手段；および
前記Ｎの値を調整する手段；
より成ることを特徴とする送信信号を受信する装置が、提供される。
【００３２】
典型的には、前記Ｎの値を調整する手段が、前記送信信号を表現する受信信号の信号品質の推定値に依存して、前記Ｎの値を調整するよう動作する。例えば、前記Ｎの値を調整する手段が、信号対干渉比の測定値に依存して、前記Ｎの値を調整するよう動作する。あるいは、受信信号電力又は送信された所定のシンボル数のような他の要因に依存して、Ｎの値が調整され得る。
【００３３】
本発明の第２または第３形態の何れかにおいて、前記推定手段が、受信シンボルとそこに包含される前記所定のシンボルの複製との相関をとるよう形成される。
【００３４】
多数の所定のシンボルを利用して所望の制御情報の推定値を生成する上記の任意の形態において、前記推定手段は、所与の重み因子を利用して、例えば最近受信したシンボルに大きな重みを与えるようにして、前記組み合わせの結果に関する重み付けされた和を計算するよう形成され得る。例えば、前記重み因子を調整する手段は、前記送信信号を表現する受信信号の品質の推定値に依存して、前記重み因子を調整するよう動作することが可能である。
【００３５】
本装置は、更に、信号対干渉比を測定する手段のような、前記受信信号の品質を推定する手段を有することが可能である。
【００３６】
上記形態の何れにおいも、前記ビーム整形器は、前記アンテナ素子から受信した信号に、前記制御情報に依存する各自の重みを乗算する手段、および該乗算した信号を組み合わせる手段を有することが可能である。前記推定手段は、前記アンテナ素子の各々から受信した信号に、前記所定のデータの複製を組み合わせ、所望の制御情報の推定値を生成することが可能である。
【００３７】
本発明は、有利なことに、セルラ移動通信システムの基地局で使用することが可能であり、上記の任意の形態による受信装置より成るセルラ移動通信システムにて使用する基地局を提供し得る。本発明による受信装置は、セルラ移動通信システムにおける移動装置の中に付加的に又は代替的に設けられ得る。しかしながら、本発明はセルラ移動通信システムにおける用途に限定されず、送信信号が、ある程度の方向性をもって受信される任意の通信システムにおいて使用されることが可能である。
【００３８】
本発明による受信装置は、プロセッサ上で走るソフトウエア・モジュールを利用して実現することが可能である。本発明の第４形態により提供される、送信信号を受信する装置は：
動作時に、複数のアンテナ素子から各自の信号を受信するビーム整形器であって、受信信号が前記送信信号を表現し及び所定のデータを包含し、ビーム整形器への制御情報入力によって規定される受信機ビームパターンに従って受信信号を修正するビーム整形器；および
プロセッサ；
より成り、該プロセッサが：
（ｉ）前記受信機ビームパターンを調整するための反復的な制御情報を生成するために反復的に適応アルゴリズム実行し、前記送信信号の受信を支援するステップ；
（ｉｉ）受信信号と前記所定のデータの複製を組み合わせることによって所望の制御情報の推定値を生成し、前記所定のデータに起因するデータ変調の影響を前記受信信号から実質的に除去するステップ；および
（ｉｉｉ）前記反復的な制御情報又は前記所望の制御情報の前記推定値の何れかを、ビーム整形器への前記制御情報入力として選択するステップ；
を実行するようプログラムされる。
【００３９】
本発明の第５形態によれば、送信信号を受信する装置であって：
動作時に、複数のアンテナ素子から各自の信号を受信するビーム整形器であって、受信信号は、前記送信信号を表現し及び各々が所定のデータシンボルを包含する複数の受信シンボルより成り、前記ビーム整形器への制御情報入力により規定されるビームパターンに従って前記受信信号を修正するビーム整形器；および
一連のサイクルを実行するようプログラムされたプロセッサ；より成り、各サイクルにおいて推定手段が受信シンボルとそこに包含される前記所定のデータシンボルの複製とを組み合わせるよう動作することが可能であり、前記所定のデータシンボルに起因するデータ変調の影響を前記受信シンボルから実質的に除去し、および
少なくとも２つのサイクルにおいて、サイクル中に実行される組合せの結果と、存在するならば少なくとも１つ又はそれ以上先行するサイクル中に実行される組合せの結果との累積的な和に依存して、前記制御情報の推定値が生成され、前記ビーム整形器への制御情報入力としてその推定値が適用される。
【００４０】
本発明の第６形態によれば、送信信号を受信する装置であって：
動作時に、複数のアンテナ素子から各自の信号を受信するビーム整形器であって、受信信号は、前記送信信号を表現し及び各々が所定のデータシンボルを包含する複数の受信シンボルより成り、前記ビーム整形器への制御情報入力により規定されるビームパターンに従って前記受信信号を修正するビーム整形器；および
Ｎ個の受信シンボルの各々とそこに含まれる前記所定のデータシンボルの複製とを組み合わせるようプログラムされたプロセッサであって、前記所定のデータシンボルに起因するデータ変調の影響を前記受信シンボルから実質的に除去し、および該組み合わせの結果の和を計算して前記制御情報を生成し、前記Ｎの値を調整するところのプロセッサ；
より成ることを特徴とする送信信号を受信する装置が、提供される。
【００４１】
本発明の最初の３つの形態を参照しながら上述した特徴は、本発明の第４、第５および第６形態にも適用することが可能である。
【００４２】
第４、第５および第６形態の何れにおいても、ビーム整形器は、ハードウエアにおいて、又は同一又は異なるプロセッサ上で走るソフトウエア・モジュールとして実現されることが可能である。
【００４３】
本発明に関連する方法の態様も提供される。本発明の装置の特徴は方法の態様に応用することが可能であり、逆もまた可能である。また、本発明は、ここに説明される任意の方法を実行するコンピュータ・プログラムまたはコンピュータ・プログラム・プロダクツに、およびここに説明される任意の方法を実行するコンピュータ・プログラムを格納したコンピュータ読み取り可能な媒体に拡張することが可能である。
【００４４】
以下、添付図面を参照しながら、単なる例をもって、本発明の好ましい特徴が説明される。
【００４５】
［セルラ移動通信システムの概説］
図１にセルラ移動通信システムの概要が示されている。図１では、複数の移動装置１０，１２は、一般に移動電話機又は携帯用コンピュータ装置であり、送信信号を基地局２０に送信する。また、基地局２０は、通信が双方向になるように、移動装置１０，１２に信号を返送する。簡単のため、図１では基地局の受信部のみが示されており；送信部は従来同様であり、その内容は当業者に明らかであろう。また、２つの移動装置のみが図１に示されているが、一般に、多数の移動装置が基地局２０と通信を行うであろうことは、理解されるであろう。
【００４６】
様々な移動装置１０，１２は、符号分割多重アクセス（ＣＤＭＡ）を利用して、同一周波数帯域で各自の信号を送信する。ＣＤＭＡでは、各移動装置には固有の拡散符号が割り当てられ、これを利用して狭帯域無線信号を固有の方式で広帯域に拡散する。受信した信号を逆拡散するために、対応する逆拡散器が基地局に設けられる。
【００４７】
図１は、移動局１０からの信号は直接経路１３および反射経路１４，１５を通じて基地局２０にて受信され、移動装置１２からの信号は直接経路１６および反射経路１７，１８を通じて基地局２０により受信されるような場合を示す。典型的には、例えば大きな建物による反射に起因して、移動装置および基地局２０の間には多数の伝送経路が存在する。これら様々な経路は、異なる長さおよび方向を有するであろうし、従って、基地局２０は、各自異なる遅延および到来角を有する移動装置の送信信号に関する一連の反射波を受信する。
【００４８】
基地局２０では、空間的に異なる場所で、基地局への移動装置により送信された送信信号を検出するために、複数の独立したアンテナ２２，２３が設けられる。アンテナ素子２２，２３は、距離を隔てて受信信号のサンプリングを行い得る。図１では、３つのアンテナ素子が示されているが、３つでなく、４つまたはそれ以上のアンテナ素子を設けることも可能である。
【００４９】
アンテナ素子２２，２３により生成された各自の受信信号は、ダウンコンバータおよびアナログ・ディジタル変換器（ＡＤＣ）２４，２５に供給され、信号をベースバンドに又は中間周波数にダウンコンバートし、そのダウンコンバートされた信号をディジタル化する。
【００５０】
基地局２０には、パス・サーチャ３１，３５が設けられ、移動装置および基地局の間で最良の経路に基地局をロックすることを可能にする。パス・サーチャ３１は、どの送信経路が移動装置１０に関して存在するか、およびそれらの内どれが重要であるかを確定する。その後に、最も重要であると判定された経路をいわゆる「フィンガ（ｆｉｎｇｅｒ）」Ｆ１，Ｆ２，Ｆ３に割り当てる。各フィンガは、そのフィンガの割り当てられた送信経路に適切な方法で、受信信号を処理する。既存の経路が消滅し、新たな経路が出現すると、パス・サーチャ３１は適切な伝送を保証するために経路を再度割り当てる。同様に、パス・サーチャ３５は、移動装置１２からフィンガＦ４，Ｆ５，Ｆ６に送信経路を割り当てる。このようにして、基地局２０は、信号の受信される様々な経路を充分に活用することが可能である。図１では、移動装置当たり３つのフィンガが示されているが、実際にはそれ以上又はそれより少ないフィンガが各移動装置に設けられ得る。
【００５１】
例えば、フィンガＦ１が、経路１３を通じて移動装置１０から受信した信号に割り当てられるならば、逆拡散器２６，２７は、移動装置１０の拡散コードの複製（ｒｅｐｌｉｃａ）を利用することによって、受信信号を逆拡散するよう機能する。同様に、フィンガＦ４が、経路１６を通じて移動装置１２から受信した信号に割り当てられるならば、逆拡散器２８，２９は、移動装置１２の拡散コードの複製を利用して、受信信号を逆拡散するよう機能する。各移動装置は固有の拡散コードを利用するので、対応する移動装置の信号のみが逆拡散され、その逆拡散器は、各自の移動装置１０，１２からの信号を分離又はデマルチプレクスするよう機能する。
【００５２】
逆拡散器２６，２７の出力は、ビーム整形器５０に供給され、逆拡散器２８，２９の出力は、ビーム整形器５１に供給される。各ビーム整形器は、特定の経路を通じて対応する移動装置から到着した信号を空間的に濾波するために使用される。ビーム整形器５０は、追従モジュール５２の制御の下で動作するが、ビーム整形器５１は追従モジュール５３の制御の下で動作する。ビーム整形器５０の出力はチャネル推定および制御装置３３に供給されるが、ビーム整形器３４の出力はチャネル推定および制御装置３４に供給される。チャネル推定および制御装置は、様々なフィンガにより出力された信号が適切な位相を有し、それらの信号が合成され得るようにすることを保証するよう機能する。
【００５３】
フィンガＦ１，Ｆ２，Ｆ３の出力は合成器３６に供給され、フィンガＦ４，Ｆ５，Ｆ６の出力は合成器３８に供給される。合成器３６はフィンガＦ１，Ｆ２，Ｆ３の出力を合成し、様々な経路を通じて移動装置１０から受信した信号が合成されているところの出力信号を生成し；同様に、合成器３８は様々な経路を通じて移動装置１２から受信した信号が合成されているところの出力信号を生成する。合成器３６，３８は一般にレイク（ＲＡＫＥ）合成器であり、様々なチャネルの品質の推定値を利用して合成信号を最適化する。従って、合成器３６，３８の出力は、移動装置１０，１２から受信した信号の最適化された形式のものである。
【００５４】
ＣＤＭＡシステムでは、受信機により受信された総ての信号は、ほぼ同一の電力レベルであることを要し、強い信号が弱いものを抑圧してしまうことを防ぐ。移動セルラネットワークでは、移動装置は基地局から異なる距離にあるのが通常であり、このため総ての移動装置が同一の電力レベルで送信したならば、受信される電力は極めて変動するであろう。この問題に対処するため、送信される電力のレベルは注意深く制御される。
【００５５】
図１には、電力制御装置４０，４２が示されている。電力制御装置４０，４２は、閉ループ電力制御を利用して、移動装置１０，１２により送信された信号の電力を制御する。電力制御装置４０，４２は、例えば、合成器３６，３８の出力における信号の信号干渉比（ＳＩＲ）を測定することによって、チャネルの品質を推定する。その後に、電力制御装置４０，４２は、その推定値に依存して電力コマンドを生成し、その電力コマンドを移動装置１０，１２に返送する。これらのコマンドに応答して、移動装置１０，１２は自身の送信電力を調整し、総ての信号が基地局において近似的に同一の電力レベルで受信されるようにする。
【００５６】
合成器３６，３８および電力制御装置４０，４２に関するチャネル品質の推定を提供するために、移動装置１０，１２は、それらの送信信号の中で多数の既知のパイロット・ビットを送信する。パイロット・ビットはデータと共に挿入され、又は別個の制御チャネルがパイロット・ビットおよび他の制御情報用に用意される。パイロット・ビットの複製は基地局２０に格納される。格納されたパイロット・ビットを利用して、例えば受信信号と格納されたパイロットビットとを相関させることによって、チャネル品質の推定値を得ることが可能になる。到来するパイロット・ビットに合わせて、基地局で格納されるパイロットビットを生成するためにパイロットビット生成器を用意し、２つが比較され得るようにする。後述するように、本発明の実施例では、パイロット・ビットがビーム整形器５０，５１によっても使用され、到来する信号の空間的な濾波を制御することが可能である。
【００５７】
図２を参照しながら、ディジタル・ビーム整形器５０の動作を説明する。図２では、４つのアンテナ素子２１，２２，２３，２４が用意され、ビーム整形器５０が４つの入力を有するように、各アンテナ素子から１つの受信信号を受信する。簡単のため、ダウンコンバータ、ディジタイザおよび逆拡散器は、図２では図示していない。
【００５８】
図２を参照するに、ディジタル・ビーム整形器５０は、様々な受信信号を受信するためにそれぞれ結合された１組の複素共役乗算器６２１，６２２，６２３，６２４を有する。複素共役乗算器は、そこに印加された受信信号に各自のウエイト値Ｗ１，Ｗ２，Ｗ３，Ｗ４を乗算する。ウエイト値Ｗ１，Ｗ２，Ｗ３，Ｗ４は、追従モジュール５２からの出力に依存する。修正された信号はその後に加算器６４に結合され、空間的にフィルタ処理された出力信号ｙ（ｔ）を生成する。ディジタル・ビーム整形器５０によって実行される空間的フィルタ処理の目的は、いくつかの指示された基準（ｐｒｅｓｃｉｂｅｄ　ｃｒｉｔｅｒｉｏｎ）に関してビーム整形器の応答を最適化し、ノイズおよび干渉が出力信号中で最小化されるようにすることである。
【００５９】
対象とする移動装置が基地局から大きく離れており、その一方、移動装置によって発せられる送信信号の沿うところの移動装置と様々なアンテナ素子２１ないし２４との間の各自の公称経路（ｎｏｍｉｎａｌ　ｐａｔｈ）は僅かに長さが異なり、例えば素子２３，２４のような隣接するアンテナ素子によって形成される受信信号において、経路長の相違に対応して位相差φが生じるものとする。経路長の差分および位相差φは、図２に示されるように、送信信号の到来角度θおよび隣接するアンテナ素子の間の間隔ｌに依存する（φαｌｓｉｎθ）。
【００６０】
一方、同一の領域内で動作している他の移動装置のような干渉源は、一般に、対象とする移動装置によって形成される所望の信号の到来角度θとは異なる角度をなす。この場合において、複素乗算器６２１ないし６２４に与える重みＷ１ないしＷ４を設定し、到来角度θを有する所望の信号が良好に受信される一方、到来角度θを有しない干渉信号が濾波される（排除される）ようにすることが可能である。
【００６１】
ビーム整形器５０の出力信号ｙ（ｔ）は、減算素子４４を利用して、参照信号ｄ（ｔ）と比較され、差信号ｅ（ｔ）を生じ、これはビーム整形器５０の出力信号と参照信号との間の差分を表し、乗算器６２１ないし６２４に印加された重みＷ１ないしＷ４を調整するために誤差信号を利用するところの追従モジュール５２に印加される。
【００６２】
定常状態の状況では、所望のおよび干渉信号は、受信装置においてそれぞれ固定した到来角度を有し、最適な一組のビーム整形器のウエイト値Ｗ１ないしＷ４が存在し、これはビーム整形器の出力におけるノイズおよび干渉を最小化させる指示された基準を満足するものである。追従モジュール５２では適応アルゴリズムが利用され、図２に示される定常状態の状況では、ウエイト値をそれらの最適な定常状態の値に収束させ、ビーム整形器の出力におけるノイズおよび干渉（すなわち、等価的に、所望の出力信号ｄ（ｔ）とビーム整形器の実際の出力信号ｙ（ｔ）との間の差分を表す差信号ｅ（ｔ））は、その多数のウエイトに関して最小レベルに維持される。しかしながら、現実には、マルチパス伝搬は、対象の移動装置と基地局の間の伝送チャネルは時間と共に変化し、更には、干渉する信号源（例えば、他の移動装置）は互いに関しておよび基地局に関して時間と共に変化するであろうことを意味する。したがって、追従モジュール５２は、動作パラメータの変化に従って、連続的にビーム整形器のウエイト値を更新することが必要とされる。
【００６３】
基地局の代替実施例が図３に示されており、共通のビーム整形器５０が、特定の移動装置に割り当てられたフィンガＦ１，Ｆ２，Ｆ３の総てに提供されている。図３を参照するに、各フィンガＦ１，Ｆ２，Ｆ３は、逆拡散器、チャネル推定器および補償装置より成る。誤差信号ｄ（ｔ）を提供するために、パイロット信号生成器５８からの信号は、再拡散器（ｒｅｓｐｒｅａｄｅｒ）４５に供給され、対応する移動装置の拡散符号に従ってパイロット信号を再拡散する。再拡散信号の位相は、位相調整器４６にて調整され、到来信号との適切な位相関係をもたらす。位相調整器の出力信号は、参照信号ｄ（ｔ）である。参照信号ｄ（ｔ）は、ビーム整形器５０の出力と比較され、その結果の差分信号ｅ（ｔ）は追従モジュール５２に印加され、これは誤差信号を利用してビーム整形器５０の重みを調整する。上記の代替実施例は、単独のビーム整形器を２つ又はそれ以上のフィンガに利用することを可能にする。この実施例は、移動装置からの信号が基地局によって近似的に同一方向から受信される場合に有利である。
【００６４】
ディジタル・ビーム整形技術および関連する適応アルゴリズムについての更なる情報は、例えば、“Ｄｉｇｉｔａｌ　Ｂｅａｍｆｏｒｍｉｎｇ　ｉｎ　Ｗｉｒｅｌｅｓｓ　Ｃｏｍｍｕｎｉｃａｔｉｏｎｓ”，　Ｊｏｈｎ　Ｌｉｔｒａ　＆　Ｔｉｔｕｓ　Ｋｗｏｋ−Ｙｅｕｎｇ　Ｌｏ，　Ａｒｔｅｃｈ　Ｈｏｕｓｅ　Ｐｕｂｌｉｓｈｅｒｓ，　１９９６，　ＩＳＢＮ：　０−８９００６−７１２−０　に記載されており、この文献内容は本願の参考に供せられる。
【００６５】
上述したセルラ移動通信システムの様々な特徴は、以下に説明する受信装置の任意の実施例に利用されることが可能である。
【００６６】
［受信装置の第１実施例］
図４は、受信装置の第１実施例を示す。本実施例では、受信装置はセルラ移動通信ネットワークの基地局に配置される。図４を参照するに、到来する無線波（移送装置からの送信信号）は、空間的に分離した複数のアンテナ素子２２Ａ，２２Ｂ，２２Ｃ，２２Ｄによって受信される。アンテナ素子の出力は、装置２４Ａ，２４Ｂ，２４Ｃ，２４Ｄにてダウンコンバートおよびディジタル化され、移送装置からの信号を受信する受信装置に供給される。図４では、単独の移動装置からの信号を受信する受信装置が示されており；同様の装置が他の移動装置に対しても提供される。
【００６７】
図４に示される例では、フィンガＦ１，Ｆ２，Ｆ３は様々な送信経路に割り当てられ、その経路によって移動装置からの送信信号が受信される。フィンガＦ１は、逆拡散器２６Ａ，２６Ｂ，２６Ｃ，２６Ｄ、規格化部（ｎｏｒｍａｌｉｓｅｒ）４８Ａ，４８Ｂ，４８Ｃ，４８Ｄ、ビーム整形器５０、重み推定器５４、誤差信号生成器５６およびパイロット・ビット生成器５８より成る。便宜上、フィンガＦ１の詳細のみが示されており；同様な素子がフィンガＦ２，Ｆ３に用意される。
【００６８】
動作時にあっては、逆拡散器２６Ａないし２６Ｄは、移動装置各自の拡散符号に従って、受信信号を逆拡散し、各逆拡散器の出力が、アンテナ素子２２Ａ，２２Ｂ，２２Ｃ，２２Ｄの１つによって移動装置から受信される信号に対応するようにする。逆拡散器の出力は規格化部４８Ａないし４８Ｄに供給される。規格化部４８Ａないし４８Ｄは、選択的なものであって省略することも可能である。規格化部の出力は、ビーム整形器５０に提供されるところの規格化された信号ｘ１，ｘ２，ｘ３，ｘ４である。ビーム整形器５０は、各自の重みによって信号ｘ１，ｘ２，ｘ３，ｘ４を修正し、修正した信号を結合することによって、アンテナ素子２２Ａないし２２Ｄにより受信した信号を空間的にフィルタ処理する。誤差信号は、ビーム整形器５０の出力におけるパイロット・ビットを、パイロット・ビット生成器５８からのパイロット・ビットの複製と比較することによって、誤差信号生成器５６により生成される。追従モジュール５２はその後にビーム整形器５０の重みを調整し、規格化最小二乗平均（ＮＬＭＬ）アルゴリズムのような反復的な適応アルゴリズムを実行することによって、誤差信号が減少するようにする。このようにして、ビーム整形器５０は特定の方向から受信した到来信号に収束および追従することが可能になる。
【００６９】
図４に示されるように、追従モジュール５２に加えて、重み推定器５４も用意されている。重み推定器５４は、短期間の間に最適な重みに関する良好な推定値を生成することが可能であり、様々な環境におけるビーム整形器５０の重みを設定するために使用され、特に追従モジュール５２の出力が最適なビーム整形器の重みに近接していない虞のある場合に使用される。
【００７０】
受信装置の第１実施例の背後にある原理を説明する。送信信号が平面波としてアンテナ素子２２Ａないし２２Ｄに到着するものと仮定する。アンテナ素子同士の間では線形な間隔を想定し、隣接するアンテナ素子２２Ａ，２２Ｂ，２２Ｃ，２２Ｄ（図２参照）によって受信される信号の間で位相差φが存在する。逆拡散および規格化の後に、到来する信号ベクトルｘ＝［ｘ１，ｘ２，ｘ３，ｘ４］Ｔは以下の値を有し、
ｘ１＝ｅ−ｊＹ
ｘ２＝ｅ−ｊφｅ−ｊＹ
ｘ２＝ｅ−ｊ２φｅ−ｊＹ
ｘ２＝ｅ−ｊ３φｅ−ｊＹ
ここで、Ｔは転置操作を示し、φはアンテナ素子の間隔に起因する位相成分であり、Ｙはデータ変調に起因する位相成分である。
【００７１】
パイロット・シンボルが到来信号中に存在する場合に、データ変調の影響は、その信号ベクトルを、パイロット・ビット生成器５８により生成されたパイロット・シンボルの複製と相関させることによって、到来信号ベクトルから除去することが可能である。この相関は、例えば、パイロット・シンボルの虚数部の符号を反転してパイロット・シンボルの複素共役を生成し、その後に到来信号ベクトルにパイロット・シンボルの複素共役（ｅｊＹ）を乗じることによって実行することが可能である。
【００７２】
相関の結果はベクトルであり、重みベクトルｗ＝［ｗ１，ｗ２，ｗ３，ｗ４］Ｔとして言及され、
ｗ１＝β
ｗ２＝βｅ−ｊφ
ｗ３＝βｅ−ｊ２φ
ｗ４＝βｅ−ｊ３φ
であり、βはスカラである。本実施例では、信号ｗ１，ｗ２，ｗ３，ｗ４は、その後にビーム整形器５０の重みｗ１，ｗ２，ｗ３，ｗ４を設定するために使用される。
【００７３】
数学的には、この操作は次式のように書くことが可能であり、
ｗ＝βｄ＊ｘ
ここで、ｘは到来する信号ベクトルであり、ｄはパイロット・ビット生成器５８による対応するパイロット・シンボル出力であり、＊は複素共役を示す。
【００７４】
第１実施例による受信装置の詳細が図５に示される。図５を参照するに、遅延素子６０Ａ，６０Ｂ，６０Ｃ，６０Ｄ、ビーム整形器５０、追従モジュール５２、誤差信号生成器５６、パイロットビット生成器５８、重み推定器５４、スイッチング・モジュール８０、および制御装置８２が設けられている。重み推定器５４は、複素共役化装置６６、乗算器６８および乗算器７０Ａ，７０Ｂ，７０Ｃ，７０Ｄより成る。
【００７５】
動作時にあっては、到来する信号ｘ１，ｘ２，ｘ３，ｘ４およびパイロット・シンボル生成器５８からのパイロット信号は、重み推定器５４に入力される。重み推定器において、複素共役化装置６６は、その出力において、パイロット・シンボルの複素共役を形成し、すなわち虚数部の符号を反転したパイロット信号の形式のものを提供する。代替実施例では、パイロット・ビット生成器５８は、パイロット・シンボルの複素共役を直接的に生成し、この場合には複素共役化装置６６は必要とされない。また、パイロット・シンボルの代わりに、到来する信号の複素共役をとることも可能である。
【００７６】
複素共役化装置６６の出力は乗算器６８に供給され、パイロット・シンボルの複素共役にスカラβを乗算する。βの値は、追従モジュール５２で使用される適応アルゴリズムのパラメータに従って選択され、適応アルゴリズムが適切に機能することを保証し；一例としては、βの値はＮＬＭＳアルゴリズムのステップ・サイズに設定される。代替的には、βの値は１に設定され、この場合は乗算器を設ける必要性はなくなる。到来する信号ｘ１，ｘ２，ｘ３，ｘ４の各々は、乗算器７０Ａ，７０Ｂ，７０Ｃ，７０Ｄにおいて乗算器６８の出力と乗算され、信号ｗ１，ｗ２，ｗ３，ｗ４を生成する。信号ｗ１，ｗ２，ｗ３，ｗ４は、スイッチング・モジュール８０に供給され、これは、制御装置８２からの制御信号に依存して、重み推定器５４からの信号又は追従モジュール５２からの信号の何れかをビーム整形器５０に提供する。スイッチング・モジュール８０の出力は、ビーム整形器５０の重みｗ１，ｗ２，ｗ３，ｗ４を設定するために使用される。
【００７７】
通常の（トラッキング）動作時にあっては、スイッチング・モジュール８０は、追従モジュールからの信号をビーム整形器５０に供給する。ある種の場合において、例えば、誤差信号が大き過ぎる又は信号干渉比や信号雑音比が低過ぎる場合に、あるいは追従モジュールからの出力が最適なビーム整形器の重みに近接していない虞のあるその他の場合に、スイッチング・モジュール８０は重み推定器５４からの信号をビーム整形器５０に供給し、ビーム整形器の重みを設定する。実施形態に依存して、移動装置からの信号が基地局によって最初に受信された場合に重み推定器５４がビーム整形器の重みを設定する、パス・サーチャ３１がビーム整形装置に新たな経路を割り当てた場合にビーム整形器の重みを設定する、到来する信号の受信方向が突然変化したときに生じるような、追従モジュールが到来信号に収束しないと判定される場合にビーム整形器の重みを設定する、ビーム整形器の重みを定期的に設定する、又はこれらの組合せにより設定することが可能である。したがって、追従モジュール５２は、良好な収束性を示しおよびビーム整形器重みの最適値に追従する。
【００７８】
ビーム整形器５０への入力ｘ１，ｘ２，ｘ３，ｘ４は、遅延素子６０Ａ，６０Ｂ，６０Ｃ，６０Ｄにより１シンボル期間遅延させられる。到来する信号を１シンボル期間遅延させることによって、重み推定器５４は信号ｘ１，ｘ２，ｘ３，ｘ４を利用して、ビーム整形器の重みをそれらの最適値の近似値に設定し、信号ｘ１，ｘ２，ｘ３，ｘ４を受信する場合にビーム整形器が既に少なくとも部分的に収束しているようにすることが可能である。他の実施例では、遅延素子は到来する信号を２つ又はそれ以上のシンボルだけ遅延させ、信号がビーム整形器に供給される前に更に収束性を良好にすることも可能である。更なる実施形態では、何らの遅延素子も設けられない。これは例えば１つ又はそれ以上のシンボルを破棄することが可能な場合に適切な手法である。
【００７９】
ビーム整形器の重みをその最適値に関する良好な近似値に設定することによって、追従モジュール５２は、重みが最適値に近接していなかった場合よりも速やかに収束することが可能になる。このため、送信の開始時に又は送信環境が変化した場合に、データが更に良好に受信されることとなる。それに加えて、合成器３６，３８および電力制御装置４０，４２に関して送信開始時に実行されるチャネル推定が、より良好になる。上述したように、ＣＤＭＡシステムでは、速やかな電力制御が行われ、総ての移動局からの信号が近似的に同程度の電力レベルで受信されるようにすることが非常に重要である。短期間の間にチャネル品質の良好な推定値を提供することによって、電力制御はより迅速になり、より正確になり、システム全体の効率を向上させることが可能になる。
【００８０】
［受信装置の第２実施例］
受信装置の第２実施例は、多数の相関プロセスが実行され、適応アルゴリズムを切り替える前により正確な重みの推定値を得る点を除いて、概ね第１実施例に対応する。
【００８１】
数学的には、第２実施例における重み推定器の動作は次式のように書くことができる。
【００８２】
【数１】
2004505539.tif 000003
ここで、ｘｉはｉ番目の到来信号ベクトルであり、ｄｉはパイロット・ビット生成器５８による対応するパイロット・シンボル出力である。
【００８３】
上述の操作は、固定数Ｎのパイロット・シンボルを利用して最適なビーム整形器重みを推定するので、「固定ウインドウ（ｆｉｘｅｄ　ｗｉｎｄｏｗ）」動作モードとして言及され得る。実際には、実行される総ての加算を待機するのではなく、加算の各段階の後にビーム整形器の重みを設定することが好ましい。この動作は次のように表現され得る。
【００８４】
【数２】
2004505539.tif 000004
このようにして、重みが、第１パイロット・シンボルに基づいて、最初に初期推定値に設定され、連続的なパイロット・シンボルが受信されるにつれて、以後更新される。この動作は、重み推定に使用されるシンボル数が、より多くのシンボルが利用可能になるにつれて拡張して行くので、「拡張ウインドウ（ｅｘｐａｎｄｉｎｇ　ｗｉｎｄｏｗ）」動作モードとして言及される。
【００８５】
第２実施例による受信装置の詳細は図６に示されている。図６を参照するに、受信装置は、遅延素子１６０Ａ，１６０Ｂ，１６０Ｃ，１６０Ｄ、ビーム整形器５０、追従モジュール５２、誤差信号生成器５６、パイロット・ビット生成器５８、スイッチング・モジュール８０、制御装置８４および重み推定器１５４より成る。ビーム整形器５０、追従モジュール５２、誤差信号生成器５６、パイロット・ビット生成器５８およびスイッチング・モジュール８０は、第１実施例で参照しながら説明したものに等しい。重み推定器１５４は、複素共役化装置１６６、乗算器１６８、乗算器１７０Ａ，１７０Ｂ，１７０Ｃ，１７０Ｄ、加算器１７２Ａ，１７２Ｂ，１７２Ｃ，１７２Ｄおよび乗算器１７４Ａ，１７４Ｂ，１７４Ｃ，１７４Ｄより成る。
【００８６】
動作時にあっては、到来する信号ｘ１，ｘ２，ｘ３，ｘ４およびパイロット・シンボル生成器５８からのパイロット・シンボルは、重み推定器１５４に入力される。重み推定器において、複素共役化装置１６６は、その出力において、パイロット・シンボルの複素共役を形成する。複素共役化装置１６６の出力は、パイロット・シンボルの複素共役にスカラβを乗算する乗算器１６８に提供される。第１実施例のように、βの値は、追従器５２で使用される適応アルゴリズムのパラメータに従って選択され、適応アルゴリズムが適切に機能することを保証する。到来信号ｘ１，ｘ２，ｘ３，ｘ４の各々は、その後に乗算器１７０Ａ，１７０Ｂ，１７０Ｃ，１７０Ｄにおいて乗算器１６８の出力と乗算される。乗算器１７０Ａ，１７０Ｂ，１７０Ｃ，１７０Ｄの出力は、加算器１７２Ａ，１７２Ｂ，１７２Ｃ，１７２Ｄに供給され、これらはクロック信号Ｃおよびリセット信号Ｒを入力として有する。各クロック・サイクルにおいて、各々の加算器の出力はその入力に戻され、各加算器の出力にて累積的な和が生じるようにする。加算器１７２Ａ，１７２Ｂ，１７２Ｃ，１７２Ｄの出力には、乗算器１７４Ａ，１７４Ｂ，１７４Ｃ，１７４Ｄにおいて１／Ｋの値が乗算され、ここでＫは、信号ｗ１，ｗ２，ｗ３，ｗ４を生成するための、加算が行われたサイクル数である。加算器の出力に１／Ｋを乗じることは、信号ｗ１，ｗ２，ｗ３，ｗ４が各サイクルで正当である（ランニング平均（ｒｕｎｎｉｎｇ　ａｖｅｒａｇｅｓ））ことを保証する。信号ｗ１，ｗ２，ｗ３，ｗ４はスイッチング・モジュール８０に供給され、これは、制御装置８４からの制御信号に依存して、重み推定器１５４からの信号又は追従モジュール５２からの信号の何れかをビーム整形器５０に供給する。スイッチング・モジュール８０の出力は、ビーム整形器５０の重みｗ１，ｗ２，ｗ３，ｗ４を設定するために使用される。
【００８７】
本実施例では、ビーム整形器１５４の出力は、連続的なクロックサイクルの各々において、ビーム整形器５０の重みｗ１，ｗ２，ｗ３，ｗ４を設定するために使用される。Ｎサイクルの最後に、加算器１７２Ａ，１７２Ｂ，１７２Ｃ，１７２Ｄの出力は、リセット入力をアクティブにすることによってゼロに設定され、スイッチング・モジュール８０によって追従モジュール５２の出力がビーム整形器５０に切り替えられ、追従モジュールが最終的に良好な収束性を示し、ビーム整形器の重みの最適値に追従するようにする。
【００８８】
ビーム整形器５０の入力は、遅延素子１６０Ａ，１６０Ｂ，１６０Ｃ，１６０Ｄにより少なくとも１クロックサイクルだけ遅延させられ、ビーム整形器が最初に受信した信号に対して既に部分的に収束しているようにする。
【００８９】
クロック信号Ｃは受信信号のシンボル・レートに基づく再生成されたクロックである。リセット信号Ｒは、クロックサイクルの所定数Ｎが生じた場合に制御装置８４により生成される。加算が開始されて以来生じたクロックサイクル数をカウントし、その値の逆数をとることによって、１／Ｋの値も制御装置により生成される。
【００９０】
第２実施例の変形において、加算器１７２Ａ，１７２Ｂ，１７２Ｃ，１７２Ｄは、それらの入力における信号に重みを与え、例えば、より最近の入力に、最近でないものよりも大きな重みを与えるようにする。図７は、
加算器１７２Ａないし１７２Ｄがどのようにして修正されて重み付けされた和を提供するかを示す。図７を参照するに、乗算器１７６が、各加算器のフィードバック経路に設けられる。この乗算器は、フィードバック信号に、制御装置８４により決定される分数を乗算する。この例では、１／Ｋの値も調整される必要がある。
【００９１】
受信装置の第２実施例では、最適なビーム整形器の重みの良好な推定が、多数のシンボルにわたって構築される。一連のシンボルと共にビーム整形器の重みを更新することによって、ビーム整形器は最初の受信シンボルから部分的に収束させられており、その収束性は連続的なシンボルと共に向上する。これは、合成器３６，３８および電力制御装置４０，４２に関するチャネル品質の推定が多数のシンボルにわたって行われる場合に特に利用される。ビーム整形器は最初に受信したシンボルから部分的に収束しているので、チャネル品質の初期推定値は、ビーム整形器が収束していなかった場合よりも良好であり、パワー・コントロール、およびパス・サーチのようなチャネル推定に依存する他の機能が、速やかに精度高く行われるようにする。
【００９２】
第１実施例のように、重み推定器１５４は様々な態様でビーム整形器の重みを設定することができる。例えば、移動装置からの信号が基地局によって最初に受信された場合に重み推定器１５４がビーム整形器５０の重みを設定する、パス・サーチャ３１がビーム整形装置に新たな経路を割り当てた場合にビーム整形器の重みを設定する、到来する信号の受信方向が突然変化したときに生じるような、追従モジュールが到来信号に収束しないと判定される場合にビーム整形器の重みを設定する、ビーム整形器の重みを定期的に設定する、又はこれらの組合せにより設定することが可能である。
【００９３】
第２実施例では、加算の行われるシンボル数Ｎは、例えば６や７のような所定数に固定することが可能であり、あるいはその数は状況に応じて変化させることが可能である。一実施例にあっては、Ｎの値は、例えばＳＩＲの測定値を利用することによって、チャネル品質の推定値に依存して変化する。チャネル品質が貧弱であると判定されたならば、多数のシンボルを利用して、ビーム追従装置５２への切替に先立ってビーム整形器の重みを設定する一方、チャネル品質が良好である砥判定されたならば、少数のシンボルが使用される。この場合において、制御装置８４は、適切なサイクル数の後にリセット信号をアクティブにし、ビーム整形器の重みを制御して追従モジュール５２に渡す。
【００９４】
［受信装置の第３実施例］
受信装置の第３実施例は、何らの追従モジュールも設けられておらず、重み推定器からの最適なビーム整形器重みの連続的に更新される推定値を利用して最適な重みを追跡する点を除いて、概ね第１および第２実施例に対応する。
【００９５】
第３実施例の重み推定器は２つの相（ｐｈａｓｅ）で動作する。第１の位相では、最適なビーム整形器の重みの推定で使用されるパイロットシンボル数は、シンボルの所定数Ｎが使用されるまで増加させられる。この相は、第２実施例に関して上述した拡張ウインドウ動作モードに対応する。第２の相では、先行するＮシンボルが推定で使用される。この相は、連続的に印加される上述したような固定ウインドウ動作モードに対応する。
【００９６】
図８を参照するに、第３実施例のビーム整形装置は、遅延素子２６０Ａ，２６０Ｂ，２６０Ｃ，２６０Ｄ、ビーム整形器５０、パイロット・ビット生成器・５８および重み推定器２５４より成る。ビーム整形器５０およびパイロット・ビット生成器５８は、第１および第２実施例を参照しながら説明したものに等しい。重み推定器２５４は、複素共役化装置２６６、乗算器２６８、乗算器２７０Ａ，２７０Ｂ，２７０Ｃ，２７０Ｄ、シフトレジスタ２７２Ａ，２７２Ｂ，２７２Ｃ，２７２Ｄおよび加算器２７４Ａ，２７４Ｂ，２７４Ｃ，２７４Ｄより成る。
【００９７】
動作時にあっては、到来する信号ｘ１，ｘ２，ｘ３，ｘ４およびパイロット・シンボル生成器５８からのパイロット・シンボルは、重み推定器２５４に入力される。重み推定器では、複素共役化装置２６６は、その出力において、パイロット・シンボルの複素共役を形成する。複素共役化装置２６６の出力は、パイロット・シンボルの複素共役にスカラβを乗算する乗算器２６８に供給される。βを１とすることによって乗算器１６８を省略することも可能である。到来する信号ｘ１，ｘ２，ｘ３，ｘ４の各々は、乗算器２７０Ａ，２７０Ｂ，２７０Ｃ，２７０Ｄにおいて乗算器２６８の出力と乗算される。乗算器２７０Ａ，２７０Ｂ，２７０Ｃ，２７０Ｄの出力は、クロック信号Ｃおよびリセット信号Ｒを入力として有するシフトレジスタ２７２Ａ，２７２Ｂ，２７２Ｃ，２７２Ｄに供給される。送信信号の受信開始時において、シフトレジスタ２７２Ａ，２７２Ｂ，２７２Ｃ，２７２Ｄは、リセット信号Ｒをアクティブにすることによって、それら総ての値をゼロに設定する。その後に、各クロックサイクルと共に、乗算器２７０Ａ，２７０Ｂ，２７０Ｃ，２７０Ｄの出力がシフトレジスタを通じてシフトされ、シフトレジスタの出力が乗算器の最新のＫ個の出力になるようにする。シフトレジスタの出力はその後に加算器２７４Ａ，２７４Ｂ，２７４Ｃ，２７４Ｄにて加算され、乗算器２７６Ａ，２７６Ｂ，２７６Ｃ，２７６Ｄにて１／Ｋが乗算される。信号Ｒおよび１／Ｋは制御装置（図示せず）により生成される。加算器２７４Ａ，２７４Ｂ，２７４Ｃ，２７４Ｄは、それらの入力における信号の各々に等しい重みを与え、すなわち例えば、より大きな重みが最新の値に与えられ、この場合において調整するために１／Ｋの値が必要とされる。加算器の出力は信号ｗ１，ｗ２，ｗ３，ｗ４を生成し、これらは連続するクロックサイクルにおけるビーム整形器５０の重みｗ１，ｗ２，ｗ３，ｗ４を更新するために使用される。
【００９８】
Ｎ個より少ないパイロット・シンボルが受信された場合は、重み推定器２５４は拡張ウインドウモードで動作する。なぜなら、シフトレジスタ中に存在する値の数が各クロックサイクルと共に増加するためである。Ｎより多くのシンボルが受信される場合は、重み推定器２５４は固定動作モードで動作する。なぜなら、乗算器２７０Ａ，２７０Ｂ，２７０Ｃ，２７０Ｄの先行するＮ個の出力のみがシフトレジスタ２７２Ａ，２７２Ｂ，２７２Ｃ，２７２Ｄに存在し、それ以前の総ての出力はシフトアウトされているためである。したがって、第３実施例では、最適なビーム整形器の重みに関する良好な推定値が、最初に受信したパイロット信号から生成され、この推定値は、連続的なパイロット信号が受信されるにつれて更新され、連続的に更新された推定値は、最適なビーム整形器の重みを追跡するよう形成される。
【００９９】
定常状態では、先行するＮ個のパイロット・シンボルのみを利用して、最適なビーム整形器の重みを推定する。なぜなら、移動システムでは、所望のおよび干渉する信号の受信方向は時間と共に変化し、最適ビーム整形器重みの古い推定値を有効でないものに変えてしまうためである。しかしながら、他の実施形態では、例えば移動局および他の干渉源が送信中に移動しない場合には、拡張ウインドウ動作モードを不定的に使用することが可能である。
【０１００】
［受信装置の第４実施例］
受信装置の第４実施例では、第３実施例のように、何らの追従モジュールも設けられておらず、重み推定器からの最適ビーム形成重みの連続的に更新される推定値を利用して、最適重みを追跡する。第４実施例では、最適ビーム整形器重みの推定に関するシンボル数Ｎが変化する。一実施形態にあっては、Ｎの値は、例えばＳＩＲの測定値を利用して、チャネル品質の推定値に依存して変化させられる。したがって、チャネル品質が貧弱であると判断されるならば、多数のシンボルを利用してビーム整形器重みを設定する一方、チャネル品質が良好であると判断されるならば少数のシンボルが利用される。
【０１０１】
第４実施例による重み推定器の部分は、図９を参照しながら説明される。図９では、簡単のため、到来信号ｘ１を処理するために使用される部分のみが示されており；他の到来信号を処理するために同様な部分が設けられる。第４実施例の重み推定器は、第３実施例と同様な要素に加えて、Ｎの値を調整する装置２９０および複数のＡＮＤゲートを有する。ＡＮＤゲート２８２，２８４，２８６は、シフトレジスタ２７２Ａおよび加算器２７４の間に設けられる一方、他のシフトレジスタ２７２Ｂ，２７２Ｃ，２７２Ｄおよび各自に対応する加算器２７４Ｂ，２７４Ｃ，２７４Ｄの間に、対応するＡＮＤゲート（図示せず）が設けられる。
【０１０２】
動作時にあっては、装置２９０は入力として信号品質の測定値をとり、これは例えば図１に示されるような電力制御装置４０，４２の１つによって生成されるようなＳＩＲの推定値とすることが可能である。信号品質の測定値に基づいて、装置２９０はＮに関する適切な値、および最適なビーム整形器重みを推定する際に使用するシンボルの総数を決定する。装置２９０はその後にＡＮＤゲート２８２，２８４，２８６に対する入力用の信号生成し、最新のＮシンボルが推定に使用されるようにする。図７に示す例では、Ｎの値はＡＮＤゲートに対する入力の適切な選択によって、１および４の間に設定され得るが、実際には、Ｎの値の範囲は、より大きなシフトレジスタおよびより多くのＡＮＤゲートを設けることによって、これよりも大きくすることが可能である。また、装置２９０は、乗算器２７６Ａに入力される１／Ｎの値も生成し、Ｎが変化しても加算器２７４の出力が有効に維持されることを保証する。
【０１０３】
図９では、装置２９０は、信号品質に依存してＮの値が変化するものとして示されているが、送信信号の受信方向が変化したことを示す信号のような、他の要因を利用してＮを変化させることも可能である。
【０１０４】
第４実施例の変形では、信号品質に依存して、異なる重みがシフトレジスタの出力に与えられる。図１０を参照するに、図９に示されるようなＡＮＤゲート２８２，２８４，２８６の代わりに、シフトレジスタ２７２Ａおよび加算器２７４Ａの間に乗算器２９４，２９６，２９８が設けられる。乗算器は、シフトレジスタからの出力に、装置２９２で設定された各自の重みを乗算する。装置２９２は、信号品質の測定値に依存して、乗算器の重みを設定する。この変形例では、ウインドウ・サイズは一定であるが、信号品質に従って重みが変化する。この変形例は、上述した受信装置の他の実施例に使用することも可能である。
【０１０５】
上述した様々な実施例は、例えばディジタル信号プロセッサのようなプロセッサ上を走るソフトウエア・モジュールを利用して実現することが一般に可能である。そのようなモジュールのプログラミングは、様々な機能の記述により当業者には明らかであろう。そのようなモジュールは、任意の適切なプログラミング言語を利用して、任意の適切なプロセッサ上でプログラムされ得ることを、当業者は理解するであろう。また、上述した機能の全部又は一部を専用のハードウエアを利用して実現することが可能である。
【０１０６】
図示のように、ＮＬＭＳアルゴリズムを利用するシステムに関するビーム整形装置（曲線ｃ１）の第１実施例と、初期重み設定が１であるもの（曲線ｃ２）との比較が図１（ａ）ないし（ｃ）に示されている。これらの図は、ＮＬＭＳ適応アルゴリズムの反復が進行する場合に、ビーム整形器により提供される信号対雑音および干渉比（ＳＮＩＲ）の改善をそれぞれ示す。図１１（ａ）の場合では、送信信号は、−２ｄＢの信号雑音比を有する適応白色ガウシアン・ノイズ（ＡＷＧＮ）チャネルを通じて受信されることを想定し、図１１（ｂ）および図１１（ｃ）は、８０Ｈｚのドップラ周波数を有するレイリー・フェージング・チャネルに関連する結果を示す。総ての場合において、孤立したセクタ内に３２のランダムに分散したユーザが存在し、μ＝０．０２の最適化されたステップ・サイズが使用される。提案される設定は、４００ないし５００シンボルから約２０シンボルまで、ＮＬＭＳアルゴリズムの収束時間を削減することができる。また、５ｄＢより多くのアレイ利得に関し、チャネル推定はより正確になり、要求される移動体送信電力を約５ｄＢ低くすることが可能になる。
【０１０７】
以上本発明は、実施例により説明されてきたが、本発明の範疇で更なる変形がなされ得ることは、理解されるであろう。例えば、一実施例又は変形例を参照しながら上述した特徴は、他の実施例又は変形例に応用することが可能である。また、本発明は、セルラ移動通信システムで使用される用途に限定されず、信号がある程度の指向性と共に受信される任意の通信システムに応用することが可能である。本発明は、時分割多重アクセス（ＴＤＭＡ）、周波数分割多重（ＦＤＭ）又は他の適切な多重化手法のような、ＣＤＭＡ以外の多重化手法と共に利用することが可能である。
【０１０８】
本明細書、および（適当な）請求の範囲および図面に記載された特徴の各々は、独立して又は任意の適切な組合せにおいて提供され得る。
【図面の簡単な説明】
【図１】図１は、セルラ移動通信システムの概略図を示す。
【図２】図２は、ビーム整形器の詳細図を示す。
【図３】図３は、複数のパスに関して共通のビーム整形器を有する基地局の詳細図を示す。
【図４】図４は、本発明の第１実施例による受信装置を示す図である。
【図５】図５は、第１実施例による受信装置の詳細図を示す。
【図６】図６は、本発明の第２実施例による受信装置の詳細図を示す。
【図７】図７は、第２実施例の変化分を示す図である。
【図８】図８は、本発明の第３実施例による受信装置の詳細図を示す。
【図９】図９は、本発明の第４実施例による受信装置の詳細図を示す。
【図１０】図１０は、本発明の第５実施例による受信装置の詳細図を示す。
【図１１ａ】図１１（ａ）は、本発明の実施例によるビーム整形器の実効性と従来のシステムによる実効性の比較を示す図である。
【図１１ｂ】図１１（ｂ）は、本発明の実施例によるビーム整形器の実効性と従来のシステムによる実効性の比較を示す図である。
【図１１ｃ】図１１（ｃ）は、本発明の実施例によるビーム整形器の実効性と従来のシステムによる実効性の比較を示す図である。
【図１】
2004505539.tif 000005
【図２】
2004505539.tif 000006
【図３】
2004505539.tif 000007
【図４】
2004505539.tif 000008
【図５】
2004505539.tif 000009
【図６】
2004505539.tif 000010
【図７】
2004505539.tif 000011
【図８】
2004505539.tif 000012
【図９】
2004505539.tif 000013
【図１０】
2004505539.tif 000014
【図１１ａ】
2004505539.tif 000015
【図１１ｂ】
2004505539.tif 000016
【図１１ｃ】
2004505539.tif 000017
【国際公開パンフレット】
2004505539.tif 000018
2004505539.tif 000019
2004505539.tif 000020
2004505539.tif 000021
2004505539.tif 000022
2004505539.tif 000023
2004505539.tif 000024
2004505539.tif 000025
2004505539.tif 000026
2004505539.tif 000027
2004505539.tif 000028
2004505539.tif 000029
2004505539.tif 000030
2004505539.tif 000031
2004505539.tif 000032
2004505539.tif 000033
2004505539.tif 000034
2004505539.tif 000035
2004505539.tif 000036
2004505539.tif 000037
2004505539.tif 000038
2004505539.tif 000039
2004505539.tif 000040
2004505539.tif 000041
2004505539.tif 000042
2004505539.tif 000043
2004505539.tif 000044
2004505539.tif 000045
2004505539.tif 000046
2004505539.tif 000047
2004505539.tif 000048
2004505539.tif 000049
2004505539.tif 000050
2004505539.tif 000051
2004505539.tif 000052
2004505539.tif 000053
2004505539.tif 000054
2004505539.tif 000055
2004505539.tif 000056
2004505539.tif 000057
2004505539.tif 000058
2004505539.tif 000059
2004505539.tif 000060
2004505539.tif 000061
2004505539.tif 000062
2004505539.tif 000063
2004505539.tif 000064
2004505539.tif 000065
2004505539.tif 000066
2004505539.tif 000067
2004505539.tif 000068
2004505539.tif 000069
2004505539.tif 000070
2004505539.tif 000071
2004505539.tif 000072
2004505539.tif 000073
2004505539.tif 000074
2004505539.tif 000075
2004505539.tif 000076
2004505539.tif 000077
2004505539.tif 000078
2004505539.tif 000079
【国際公開パンフレット（コレクトバージョン）】
2004505539.tif 000080
2004505539.tif 000081
【国際調査報告】
2004505539.tif 000082
2004505539.tif 000083